(57)【要約】【課題】駆動処理が煩雑化するのを抑えることが可能な表示装置、表示装置の駆動方法及びプログラムを提供すること。【解決手段】スイッチング素子２１及びスイッチング素子２３によって、画素電極１５Ｒ、１５Ｇ、１５Ｂに供給されたＲＧＢの画像信号に基づいて、画素電極１５Ｙａ及び１５Ｙｂ、１５Ｃａ及び１５Ｃｂ、１５Ｍａ及び１５Ｍｂに供給される画像信号（ＹＣＭ）を生成するので、当該画素電極１５Ｙａ及び１５Ｙｂ、１５Ｃａ及び１５Ｃｂ、１５Ｍａ及び１５Ｍｂに信号を供給する回路を別途設ける必要が無い。これにより、サブ画素の種類が多くなっても駆動処理が煩雑化するのを抑えることができる。【選択図】図３
2008197421.tif 000002
【特許請求の範囲】
【請求項１】
画像を表示する表示領域を有し、前記表示領域内に複数のサブ画素が設けられた表示パネルと、
前記表示パネルに設けられ、前記複数のサブ画素のうち第１のサブ画素に第１の信号を供給する信号供給部と、
前記表示パネルに設けられ、前記第１の信号に基づいて前記複数のサブ画素のうち前記第１のサブ画素とは異なる第２のサブ画素に供給される第２の信号を生成する信号生成部と
を具備することを特徴とする表示装置。
【請求項２】
前記信号生成部が、前記表示領域内に設けられている
ことを特徴とする請求項１に記載の表示装置。
【請求項３】
前記第１のサブ画素が、赤色を表示する赤色サブ画素と、緑色を表示する緑色サブ画素と、青色を表示する青色サブ画素とを含んでおり、
前記第２のサブ画素が、赤色、緑色及び青色のいずれとも異なる色を表示するサブ画素を含んでいる
ことを特徴とする請求項１乃至請求項２のうちいずれか一項に記載の表示装置。
【請求項４】
前記表示パネルが、
前記複数のサブ画素のそれぞれに設けられた画素電極と、
前記信号供給部に電気的に接続された接続部と、
前記各画素電極についてそれぞれ設けられ、各々対応する前記画素電極と前記接続部とを電気的に接続するスイッチング素子と
を有しており、
前記第１のサブ画素に設けられた画素電極に対応するスイッチング素子と、前記第２のサブ画素に設けられた画素電極に対応するスイッチング素子とが、同一の前記接続部に接続されている
ことを特徴とする請求項１乃至請求項３のうちいずれか一項に記載の表示装置。
【請求項５】
前記第１のサブ画素が、赤色を表示する赤色サブ画素と、緑色を表示する緑色サブ画素と、青色を表示する青色サブ画素とを含んでおり、
前記第２のサブ画素が、シアンを表示するシアンサブ画素と、マゼンタを表示するマゼンタサブ画素と、イエローを表示するイエローサブ画素とを含んでおり、
前記信号供給部が前記赤色サブ画素、前記緑色サブ画素、前記青色サブ画素に供給する第１の信号をそれぞれｒ、ｇ、ｂとし、前記シアンサブ画素、前記マゼンタサブ画素、前記イエローサブ画素に供給される第２の信号をそれぞれＣ、Ｍ、Ｙとすると、
Ｃ＝（ｇ＋ｂ）／２
Ｍ＝（ｂ＋ｒ）／２
Ｙ＝（ｒ＋ｇ）／２
となるように前記信号生成部が前記第２の信号を生成する
ことを特徴とする請求項１乃至請求項４のうちいずれか一項に記載の表示装置。
【請求項６】
前記第１のサブ画素が、赤色を表示する赤色サブ画素と、緑色を表示する緑色サブ画素と、青色を表示する青色サブ画素とを含んでおり、
前記第２のサブ画素が、シアンを表示するシアンサブ画素と、マゼンタを表示するマゼンタサブ画素と、イエローを表示するイエローサブ画素とを含んでおり、
前記信号供給部が前記赤色サブ画素、前記緑色サブ画素、前記青色サブ画素に供給する第１の信号をそれぞれｒ、ｇ、ｂとし、前記シアンサブ画素、前記マゼンタサブ画素、前記イエローサブ画素に供給される第２の信号をそれぞれＣ、Ｍ、Ｙとすると、
Ｃ＝（ｇ・ｂ）１／２
Ｍ＝（ｂ・ｒ）１／２
Ｙ＝（ｒ・ｇ）１／２
となるように前記信号生成部が前記第２の信号を生成する
ことを特徴とする請求項１乃至請求項５のうちいずれか一項に記載の表示装置。
【請求項７】
前記信号供給部が前記赤色サブ画素、前記緑色サブ画素、前記青色サブ画素に供給する第１の信号をそれぞれｒ、ｇ、ｂとし、前記赤色サブ画素、前記緑色サブ画素、前記青色サブ画素に供給される第２の信号をそれぞれＲ、Ｇ、Ｂとすると、
Ｒ＝ｒ・（ｇ＋ｂ−１）２
Ｇ＝ｇ・（ｂ＋ｒ−１）２
Ｂ＝ｂ・（ｒ＋ｇ−１）２
となるように前記信号生成部が前記第２の信号を生成する
ことを特徴とする請求項５又は請求項６に記載の表示装置。
【請求項８】
画像を表示する表示領域を有し、前記表示領域内に複数のサブ画素が設けられた表示パネルと、前記表示パネルに設けられ、前記複数のサブ画素のうち第１のサブ画素に第１の信号を供給する信号供給部と、前記表示パネルに設けられ、前記第１の信号に基づいて前記複数のサブ画素のうち前記第１のサブ画素とは異なる第２のサブ画素に供給される第２の信号を生成する信号生成部とを具備する表示装置を駆動する際に、
前記第２のサブ画素に前記第２の信号を供給するときには、前記信号生成部によって第２の信号が生成されるように、前記信号供給部が前記第１のサブ画素に前記第１の信号を供給する
ことを特徴とする表示装置の駆動方法。
【請求項９】
画像を表示する表示領域を有し、前記表示領域内に複数のサブ画素が設けられた表示パネルと、前記表示パネルに設けられ、前記複数のサブ画素のうち第１のサブ画素に第１の信号を供給する信号供給部と、前記表示パネルに設けられ、前記第１の信号に基づいて前記複数のサブ画素のうち前記第１のサブ画素とは異なる第２のサブ画素に供給される第２の信号を生成する信号生成部とを具備する表示装置を駆動する際、
前記第２のサブ画素に前記第２の信号を供給するときには、前記信号生成部によって前記第２の信号が生成されるように、前記信号供給部に対して前記第１のサブ画素に前記第１の信号を供給するように命令する
ことを特徴とするプログラム。
【発明の詳細な説明】
【技術分野】
【０００１】
本発明は、表示装置、表示装置の駆動方法及びプログラムに関する。
【背景技術】
【０００２】
液晶表示装置や有機ＥＬ表示装置などの表示装置は、表示パネルに複数のサブ画素がマトリクス状に配列された構成になっており、数個のサブ画素が１組になって１つの画素を構成している。各サブ画素には画素電極が設けられており、信号供給部（ドライバ）から電気信号が供給されることにより、表示のオン、オフが切り替えられるようになっている。通常、１つのサブ画素は１つの色を表示するようになっている。
【０００３】
画素の構成としては、従来は１画素内に赤色、緑色、青色をそれぞれ表示する３種類のサブ画素が設けられている場合がほとんどであったが、近年では、赤緑青の３色に加えて白色のサブ画素を配置する場合がある。また、特許文献１に記載されているように、赤緑青の３色に加えてシアン、マゼンタ、イエローを表示する６種類のサブ画素が設けられている場合もある。このように、１画素内に４種類以上のサブ画素が設けられる場合も多くなっている。特に、上記のように６種類のサブ画素を配置させた場合には、鮮明な表示が可能となり、画像のコントラストがより高くなることが知られている。  
【特許文献１】特開２０００−２２９７３号公報
【発明の開示】
【発明が解決しようとする課題】
【０００４】
しかしながら、１画素に４種類以上のサブ画素を配置させる場合、各種類のサブ画素に別々の駆動信号を生成して供給する必要が生じるため、１画素に含まれるサブ画素の種類が多くなればなるほど駆動処理が煩雑になるという問題がある。  
以上のような事情に鑑み、本発明の目的は、駆動処理が煩雑化するのを抑えることが可能な表示装置、表示装置の駆動方法及びプログラムを提供することにある。
【課題を解決するための手段】
【０００５】
上記目的を達成するため、本発明に係る表示装置は、画像を表示する表示領域を有し、前記表示領域内に複数のサブ画素が設けられた表示パネルと、前記表示パネルに設けられ、前記複数のサブ画素のうち第１のサブ画素に第１の信号を供給する信号供給部と、前記表示パネルに設けられ、前記第１の信号に基づいて前記複数のサブ画素のうち前記第１のサブ画素とは異なる第２のサブ画素に供給される第２の信号を生成する信号生成部とを具備することを特徴とする。  
本発明によれば、信号生成部が、複数のサブ画素のうち第１のサブ画素に供給された第１の信号に基づいて、第２のサブ画素に供給される第２の信号を生成するので、第２のサブ画素に信号を供給する場合であっても、第１のサブ画素に第１の信号を供給すれば済むことになる。これにより、サブ画素の種類が多くなっても駆動処理が煩雑化するのを抑えることができる。
【０００６】
上記の表示装置は、前記信号生成部が、前記表示領域内に設けられていることを特徴とする。  
本発明によれば、信号生成部が表示領域内に設けられていることとしたので、表示領域内で第２の信号を生成することができる。これにより、信号供給部に予め第２の信号を供給するような構成を付加しておく必要が無いため、信号供給部の構成が複雑化するのを回避することができる。
【０００７】
上記の表示装置は、前記第１のサブ画素が、赤色を表示する赤色サブ画素と、緑色を表示する緑色サブ画素と、青色を表示する青色サブ画素とを含んでおり、前記第２のサブ画素が、赤色、緑色及び青色のいずれとも異なる色を表示するサブ画素を含んでいることを特徴とする。  
本発明によれば、第１のサブ画素が、赤色を表示する赤色サブ画素と、緑色を表示する緑色サブ画素と、青色を表示する青色サブ画素とを含んでおり、第２のサブ画素が、赤色、緑色及び青色のいずれとも異なる色を表示するサブ画素を含んでいるので、赤緑青の３色を表示するビデオ信号から当該３色とは異なる色を生成することが可能となる。
【０００８】
上記の表示装置は、前記表示パネルが、前記複数のサブ画素のそれぞれに設けられた画素電極と、前記信号供給部に電気的に接続された接続部と、前記各画素電極についてそれぞれ設けられ、各々対応する前記画素電極と前記接続部とを電気的に接続するスイッチング素子とを有しており、前記第１のサブ画素に設けられた画素電極に対応するスイッチング素子と、前記第２のサブ画素に設けられた画素電極に対応するスイッチング素子とが、同一の前記接続部に接続されていることを特徴とする。  
本発明によれば、第１のサブ画素に設けられた画素電極に対応するスイッチング素子と、第２のサブ画素に設けられた画素電極に対応するスイッチング素子とが、同一の接続部に接続されているので、当該接続部をスイッチング素子毎に別々に設けた場合に比べて接続部の数が半分に減少することになる。これにより、接続部に印加する信号周波数を低くすることができ、消費電力の低下を図ることができる。
【０００９】
上記の表示装置は、前記第１のサブ画素が、赤色を表示する赤色サブ画素と、緑色を表示する緑色サブ画素と、青色を表示する青色サブ画素とを含んでおり、前記第２のサブ画素が、シアンを表示するシアンサブ画素と、マゼンタを表示するマゼンタサブ画素と、イエローを表示するイエローサブ画素とを含んでおり、前記信号供給部が前記赤色サブ画素、前記緑色サブ画素、前記青色サブ画素に供給する第１の信号をそれぞれｒ、ｇ、ｂとし、前記シアンサブ画素、前記マゼンタサブ画素、前記イエローサブ画素に供給される第２の信号をそれぞれＣ、Ｍ、Ｙとすると、Ｃ＝（ｇ＋ｂ）／２、Ｍ＝（ｂ＋ｒ）／２、Ｙ＝（ｒ＋ｇ）／２となるように前記信号生成部が前記第２の信号を生成することを特徴とする。  
本発明によれば、Ｃ、Ｍ、Ｙを簡単に生成することができる。なお、このような信号生成部については、表示領域の外側の領域に配置しても構わない。
【００１０】
上記の表示装置は、前記第１のサブ画素が、赤色を表示する赤色サブ画素と、緑色を表示する緑色サブ画素と、青色を表示する青色サブ画素とを含んでおり、前記第２のサブ画素が、シアンを表示するシアンサブ画素と、マゼンタを表示するマゼンタサブ画素と、イエローを表示するイエローサブ画素とを含んでおり、前記信号供給部が前記赤色サブ画素、前記緑色サブ画素、前記青色サブ画素に供給する第１の信号をそれぞれｒ、ｇ、ｂとし、前記シアンサブ画素、前記マゼンタサブ画素、前記イエローサブ画素に供給される第２の信号をそれぞれＣ、Ｍ、Ｙとすると、Ｃ＝（ｇ・ｂ）１／２、Ｍ＝（ｂ・ｒ）１／２、Ｙ＝（ｒ・ｇ）１／２となるように前記信号生成部が前記第２の信号を生成することを特徴とする。  
本発明によれば、赤、緑、青の純色を表示させることができる。例えば、（ｒ，ｇ，ｂ）＝（１，０，０）の場合には（Ｒ，Ｇ，Ｂ，Ｃ，Ｍ，Ｙ）＝（１，０，０，０，０，０）となる。なお、Ｒ、Ｇ、Ｂは、それぞれ赤色サブ画素、緑色サブ画素、青色サブ画素に供給される第２の信号を示している。
【００１１】
上記の表示装置は、前記信号供給部が前記赤色サブ画素、前記緑色サブ画素、前記青色サブ画素に供給する第１の信号をそれぞれｒ、ｇ、ｂとし、前記赤色サブ画素、前記緑色サブ画素、前記青色サブ画素に供給される第２の信号をそれぞれＲ、Ｇ、Ｂとすると、Ｒ＝ｒ・（ｇ＋ｂ−１）２、Ｇ＝ｇ・（ｂ＋ｒ−１）２、Ｂ＝ｂ・（ｒ＋ｇ−１）２となるように前記信号生成部が前記第２の信号を生成することを特徴とする。  
本発明によれば、シアン、マゼンタ、イエローの各色を純色で表示させることができる。例えば、（ｒ，ｇ，ｂ）＝（０，１，１）の場合には（Ｒ，Ｇ，Ｂ，Ｃ，Ｍ，Ｙ）＝（０，０，０，１，０，０）となる。また、（ｒ，ｇ，ｂ）＝（１，１，１）の場合には（Ｒ，Ｇ，Ｂ，Ｃ，Ｍ，Ｙ）＝（１，１，１，１，１，１）となり、白色を表示することも可能となる。
【００１２】
本発明に係る表示装置の駆動方法は、画像を表示する表示領域を有し、前記表示領域内に複数のサブ画素が設けられた表示パネルと、前記表示パネルに設けられ、前記複数のサブ画素のうち第１のサブ画素に第１の信号を供給する信号供給部と、前記表示パネルに設けられ、前記第１の信号に基づいて前記複数のサブ画素のうち前記第１のサブ画素とは異なる第２のサブ画素に供給される第２の信号を生成する信号生成部とを具備する表示装置を駆動する際に、前記第２のサブ画素に前記第２の信号を供給するときには、前記信号生成部によって第２の信号が生成されるように、前記信号供給部が前記第１のサブ画素に前記第１の信号を供給することを特徴とする。  
本発明によれば、第２のサブ画素に前記第２の信号を供給するときには、信号生成部が第１の信号に基づいて第２の信号を生成するので、サブ画素の種類が多くなっても駆動処理が煩雑化するのを抑えることができる。
【００１３】
本発明に係るプログラムは、画像を表示する表示領域を有し、前記表示領域内に複数のサブ画素が設けられた表示パネルと、前記表示パネルに設けられ、前記複数のサブ画素のうち第１のサブ画素に第１の信号を供給する信号供給部と、前記表示パネルに設けられ、前記第１の信号に基づいて前記複数のサブ画素のうち前記第１のサブ画素とは異なる第２のサブ画素に供給される第２の信号を生成する信号生成部とを具備する表示装置を駆動する際、前記第２のサブ画素に前記第２の信号を供給するときには、前記信号生成部によって前記第２の信号が生成されるように、前記信号供給部に対して前記第１のサブ画素に前記第１の信号を供給するように命令することを特徴とする。  
本発明によれば、第２のサブ画素に前記第２の信号を供給するときには、信号生成部が第１の信号に基づいて第２の信号を生成するので、サブ画素の種類が多くなっても駆動処理が煩雑化するのを抑えることができる。
【発明を実施するための最良の形態】
【００１４】
［第１実施形態］  
本発明の第１実施形態を図面に基づき説明する。以下の図では、各部材を認識可能な大きさとするため、縮尺を適宜変更している。  
図１は、液晶表示装置１の全体構成を示す平面図である。本実施形態では、表示装置として、スイッチング素子に薄膜トランジスタ（Thin Film Transistor、以下ＴＦＴという）素子を用いたアクティブマトリクス方式の液晶表示装置を例に挙げて説明する。
【００１５】
図１に示すように、液晶表示装置１の主部分を構成する液晶パネル２は、例えばガラスやプラスチックなどの光透過可能な一対の基板が液晶層を挟持してなる。液晶パネル２の平面視中央部には、静止画や動画等の画像を表示する表示領域３になっている。
【００１６】
表示領域３内には、複数のサブ画素４が平面視マトリクス状に配列されている。この複数のサブ画素４のうち、２行×３列の６個のサブ画素が１組となって１つの画素５を形成している。６個のサブ画素４は、それぞれ赤色、緑色、青色、シアン、マゼンタ、イエローを１色ずつ表示するようになっている。
【００１７】
一対の基板のうち一方の基板には、各サブ画素４に平面視で重なる領域に画素電極（図３参照）１５が設けられており、当該画素電極１５に電気信号を供給することにより、画像を表示するようになっている。また、一対の基板のうち他方の基板には、各サブ画素４に平面視で重なる領域に上記の赤色、緑色、青色、シアン、マゼンタ、イエローのカラーフィルタ層が形成されている。
【００１８】
表示領域３の外側には、走査線駆動回路６と、データ線駆動回路７とが設けられている。走査線駆動回路６は、液晶パネル２の図中左辺側に設けられている。走査線駆動回路６からは液晶パネル２の長手方向に沿って走査線１６が形成されている。走査線１６は、画素５に設けられた２列のサブ画素４の間を通るように延在している。データ線駆動回路７は、液晶パネル２の図中下辺側に設けられている。データ線駆動回路７からは液晶パネル２の短手方向に沿ってデータ線１７が形成されている。データ線１７は、サブ画素４の列ごとに設けられている。走査線駆動回路６及びデータ線駆動回路７は、制御部８によって制御されるようになっている。
【００１９】
図２は、制御部８の概略構成を示す図である。同図に示すように、制御部８は、ＣＰＵ９と、ＲＡＭ１０と、ＲＯＭ１１と、記憶部１４とを主体として構成されている。記憶部１４には、走査線１６に供給する走査信号のデータ（走査信号データ）１２と、データ線１７に供給する画像信号のデータ（画像信号データ）１３と、制御プログラムＰとが格納されている。画像信号データ１３については、赤色、緑色、青色の３色のビデオデータから構成されている。制御プログラムＰは、走査線駆動回路６及びデータ線駆動回路７に対して画像信号データ１３及び走査信号データ１２に基づいて信号を供給するよう命令するプログラムである。
【００２０】
図３は、液晶パネル２のうち画素電極の形成された基板の構成を示す平面図である。  
同図に示すように、各サブ画素４に平面視で重なる領域には、画素電極１５が形成されている。赤色（Ｒ）、緑色（Ｇ）、青色（Ｂ）を表示するサブ画素４には、画素電極１５Ｒ、１５Ｇ、１５Ｂがそれぞれ配置されている。イエロー（Ｙ）、シアン（Ｃ）、マゼンタ（Ｍ）を表示するサブ画素４には、画素電極１５が分割して配置されている。すなわち、イエローを表示するサブ画素４には画素電極１５Ｙａと画素電極１５Ｙｂとが配置されており、シアンを表示するサブ画素４には画素電極１５Ｃａと画素電極１５Ｃｂとが配置されており、マゼンタを表示するサブ画素４には画素電極１５Ｍａと画素電極１５Ｍｂとが配置されている。
【００２１】
画素電極１５Ｒ、１５Ｇ、１５Ｂには、それぞれ当該画素電極に対応するスイッチング素子２０が設けられている。画素電極１５Ｒ、１５Ｇ、１５Ｂにおいて同一の構成になっているため、以下の説明では画素電極１５Ｒを代表させて説明する。スイッチング素子２０は、例えば薄膜トランジスタからなるｎ型の素子である。当該薄膜トランジスタのゲート側が走査線１６に接続されており、ソース側がデータ線１７ｒに接続されており、ドレイン側が画素電極１５Ｒに接続されている。
【００２２】
一方、画素電極１５Ｙａには、スイッチング素子２１が接続されている。なお、画素電極１５Ｃａ、１５Ｍａにおいても同一の構成になっているため、以下画素電極１５Ｙａを代表させて説明する。スイッチング素子２１は、上記のスイッチング素子２０と同様に例えば薄膜トランジスタからなるｎ型の素子である。スイッチング素子２１は、ゲート側が走査線１６に接続されており、ソース側がデータ線１７ｒに接続されており、ドレイン側が画素電極１５Ｙａに接続されている。
【００２３】
画素電極１５Ｙｂには、スイッチング素子２３が接続されている。なお、画素電極１５Ｃｂ、１５Ｍｂにおいても同一の構成になっているため、以下画素電極１５Ｙｂを代表させて説明する。スイッチング素子２３は、上記のスイッチング素子２０と同様に例えば薄膜トランジスタからなるｎ型の素子である。スイッチング素子２３は、ゲート側が走査線１６に接続されており、ソース側がデータ線１７ｇに接続されており、ドレイン側が画素電極１５Ｙｂに接続されている。
【００２４】
また、スイッチング素子２１とスイッチング素子２３との間にはスイッチング素子２２が設けられている。このスイッチング素子２２は、例えばｐ型の薄膜トランジスタからなる。スイッチング素子２２は、ゲート側が走査線１６に接続されており、ソース側が画素電極１５Ｙａに接続されており、ドレイン側が画素電極１５Ｙｂに接続されている。画素電極１５Ｃａ及び１５Ｃｂ、画素電極１５Ｍａ及び１５Ｍｂについても同様の構成になっている。
【００２５】
次に、上記のように構成された液晶表示装置１の動作を説明する。  
走査線１６に走査信号が供給されている場合（走査期間中）において、例えばデータ線１７ｒ（図中左端）に画像信号が供給された場合、画像信号はデータ線１７ｒからスイッチング素子２０を介して画素電極１５Ｒに入力される。同時に、画像信号はデータ線１７ｒからスイッチング素子２１を介して画素電極１５Ｙａに入力される。
【００２６】
走査期間中においてデータ線１７ｇに画像信号が供給された場合、画像信号はデータ線１７ｇからスイッチング素子２０を介して画素電極１５Ｇにも入力される。同時に、画像信号はデータ線１７ｇからスイッチング素子２１を介して画素電極１５Ｃａにも入力される。また、画像信号はデータ線１７ｇからスイッチング素子２３を介して画素電極１５Ｙｂにも入力される。
【００２７】
走査期間中においてデータ線１７ｂに画像信号が供給された場合、画像信号はデータ線１７ｂからスイッチング素子２０を介して画素電極１５Ｂにも入力される。同時に、画像信号はデータ線１７ｂからスイッチング素子２１を介して画素電極１５Ｍａにも入力される。また、画像信号はデータ線１７ｂからスイッチング素子２３を介して画素電極１５Ｃｂにも入力される。
【００２８】
走査期間中においてデータ線１７ｒ（図中右端）に画像信号が供給された場合、画像信号はデータ線１７ｂからスイッチング素子２３を介して画素電極１５Ｍｂに入力されることになる。
【００２９】
このように、スイッチング素子２１及びスイッチング素子２３によって、画素電極１５Ｒ、画素電極１５Ｇ、画素電極１５Ｂに対して供給された信号（第１の信号）に基づいて、画素電極１５Ｙａ及び１５Ｙｂ、画素電極１５Ｃａ及び１５Ｃｂ、画素電極１５Ｍａ及び１５Ｍｂに供給される信号が生成されることになる。したがって、スイッチング素子２１及びスイッチング素子２３によって信号生成部が構成されていることになる。
【００３０】
また、データ線１７ｒに供給する信号をｒ、データ線１７ｇに供給する信号をｇ、データ線１７ｂに供給する信号をｂ、画素電極１５Ｙに入力される信号をＹ、画素電極１５Ｃに入力される信号をＣ、画素電極１５Ｍに入力される信号をＭとすると、Ｙ、Ｃ、Ｍはそれぞれ、
【数１】
2008197421.tif 000003
で表されるように生成されることになる。
【００３１】
したがって、制御プログラムＰの構成としては、画素電極１５Ｙに信号を入力する場合には、走査線１６に走査信号を供給する間に、データ線１７ｒに信号ｒを供給すると共にデータ線１７ｇに信号ｇを供給するように命令する構成にすれば良い。画素電極１５Ｃ、１５Ｍにそれぞれ信号を入力する場合についても同様である。
【００３２】
このように、本実施形態によれば、スイッチング素子２１及びスイッチング素子２３によって、画素電極１５Ｒ、１５Ｇ、１５Ｂに供給されたＲＧＢの画像信号に基づいて、画素電極１５Ｙａ及び１５Ｙｂ、１５Ｃａ及び１５Ｃｂ、１５Ｍａ及び１５Ｍｂに供給される画像信号（ＹＣＭ）を生成するので、当該画素電極１５Ｙａ及び１５Ｙｂ、１５Ｃａ及び１５Ｃｂ、１５Ｍａ及び１５Ｍｂに信号を供給する回路を別途設ける必要が無い。これにより、サブ画素４の種類が多くなっても駆動処理が煩雑化するのを抑えることができる。
【００３３】
また、２行に亘って設けられている画素電極１５Ｒ、１５Ｇ、１５Ｂと、画素電極１５Ｙａ及び１５Ｙｂ、１５Ｃａ及び１５Ｃｂ、１５Ｍａ及び１５Ｍｂとが同一の走査線１６に接続されているので、画素電極の各列に沿って走査線１６を形成する場合に対して、走査線１６の本数を半減させることができる。これにより、走査線１６に供給する走査信号の周波数を高くしなくても済むことになるため、消費電力を抑えることが可能となる。また、走査線１６の本数を半減することができるため、その分開口率を向上させることができるという利点もある。
【００３４】
また、スイッチング素子２２が設けられているので、上記の状態から走査線１６に印加した信号を解除すると、スイッチング素子２２のソース側とドレイン側とが導通するため、画素電極１５Ｙａと画素電極１５Ｙｂの間で等電位となる。これにより、安定駆動を実現させることができる。
【００３５】
［第２実施形態］  
次に、本発明の第２実施形態を説明する。第１実施形態と同様、以下の図では、各部材を認識可能な大きさとするため、縮尺を適宜変更している。また、第１実施形態と同一の構成要素については説明を省略する。
【００３６】
図４は、本実施形態に係る液晶表示装置１０１の液晶パネル１０２の構成を示す平面図であり、図３に対応している。  
図４に示すように、１画素内に赤、緑、青、イエロー、シアン、マゼンタの６種類のサブ画素１０５が設けられている。サブ画素１０５は図４の上側の行に３個、下側の行に３個配置されている。サブ画素１０５のうち上側の行には画素電極１１５Ｒ、１１５Ｇ、１１５Ｂがそれぞれ設けられており、下側の行には１１５Ｙ、１１５Ｃ、１１５Ｍがそれぞれ設けられている。
【００３７】
画素電極１１５Ｒ、１１５Ｇ、１１５Ｂには、各々に対応するスイッチング素子１２０が設けられている。画素電極１１５Ｒを例に挙げて説明すると、スイッチング素子１２０は、第１実施形態と同様に、ゲート側が走査線１１６に接続されており、ソース側がデータ線１１７ｒに接続されており、ドレイン側が画素電極１１５Ｒに接続されている。画素電極１１５Ｇ及びが素電極１１５Ｂについても同様の構成になっている。
【００３８】
画素電極１１５Ｙ、１１５Ｃ、１１５Ｍについては、各々に対応するスイッチング素子１２１及びスイッチング素子１２２が設けられている。画素電極１１５Ｙを例に挙げて説明すると、スイッチング素子１２１のゲート側が走査線１１６に接続されており、ドレイン側が画素電極１１５Ｙに接続されている。スイッチング素子１２１のソース側は、スイッチング素子１２２のドレイン側に接続されている。
【００３９】
スイッチング素子１２２については、ゲート側がデータ線１１７ｒに接続されており、ソース側がデータ線１１７ｇに接続されており、ドレイン側がスイッチング素子１２１のソース側に接続されている。画素電極１１５Ｃ及び画素電極１１５Ｍにおいても同様の構成になっている。
【００４０】
次に、上記のように構成された液晶表示装置１０１の動作を説明する。  
走査線１１６に走査信号が供給されている場合（走査期間中）において、例えばデータ線１１７ｒ（図中左端）のみに画像信号が供給された場合、画像信号はデータ線１１７ｒからスイッチング素子１２０を介して画素電極１１５Ｒに入力される。同時に、この画像信号はスイッチング素子１２２のゲート側に供給され、スイッチング素子１２２のソース側とドレイン側とが導通した状態になる。また、走査線１１６の走査信号がスイッチング素子１２１のゲート側に供給され、スイッチング素子１２１のソース側とドレイン側とが導通した状態になる。
【００４１】
走査期間中において、データ１１７ｒに加えてデータ線１１７ｇにも画像信号が供給された場合、画像信号はデータ線１１７ｇからスイッチング素子１２０を介して画素電極１１５Ｇに入力される。同時に、この画像信号は、導通した状態になっているスイッチング素子１２２、スイッチング素子１２１を介して画素電極１１５Ｙに入力される。
【００４２】
このように、走査期間中にデータ線１１７ｒ及びデータ線１１７ｇの両方に信号を供給しなければ画素電極１１５Ｙに信号が入力されないようになっている。この構成は画素電極１１５Ｃ及び画素電極１１５Ｍにおいても同様の構成になっている。すなわち、画素電極１１５Ｃに信号を入力するには、走査期間中にデータ線１１７ｇ及びデータ線１１７ｂの両方に信号を供給する必要がある。また、画素電極１１５Ｍに信号を入力するには、走査期間中にデータ線１１７ｂ及びデータ線１１７ｒ（図中右端）の両方に信号を供給する必要がある。
【００４３】
つまり、データ線１１７ｒに供給する信号をｒ、データ線１１７ｇに供給する信号をｇ、データ線１１７ｂに供給する信号をｂ、画素電極１１５Ｙに入力される信号をＹ、画素電極１１５Ｃに入力される信号をＣ、画素電極１１５Ｍに入力される信号をＭとすると、Ｙ、Ｃ、Ｍは、理想的にはそれぞれ、
【数２】
2008197421.tif 000004
となるように生成される。
【００４４】
上記の［数２］で示すような乗算回路においては、ｒ、ｇ、ｂの理論値は図５（ａ）及び図５（ｂ）に示すような値になる。図５（ａ）及び図５（ｂ）は、乗算回路の理論値を示したグラフであり、ｒ及びｇからＹを生成する場合を例とした場合の結果である。グラフの各軸はｒ、ｇ、Ｙの電圧値（単位はＶ）を示している。ｇ及びｂからＣを生成する場合、ｂ及びｒからＭを生成する場合においても同様の結果が得られる。これに対して、本実施形態に係る回路においては、図６（ａ）及び図６（ｂ）のような値になる。理論値とは若干の誤差はあるものの、グラフの形状は類似しているといえる。
【００４５】
なお、制御プログラムＰの構成としては、画素電極１１５Ｙに信号を入力する場合には、走査期間中にデータ線１１７ｒ及びデータ線１１７ｇの両方に信号を供給するように命令する構成であれば良い。画素電極１５Ｃ、１５Ｍにそれぞれ信号を入力する場合についても同様である。
【００４６】
本発明の技術範囲は上記実施形態に限定されるものではなく、本発明の趣旨を逸脱しない範囲で適宜変更を加えることができる。  
例えば、上記実施形態においては、表示装置として液晶表示装置１を例に挙げて説明したが、これに限られることはなく、例えば有機ＥＬ表示装置、プラズマ表示装置、ＳＥＤ、ＣＲＴなどの表示装置、電子ペーパーなど、ＲＧＢＣＭＹの画素を有しうる構成の表示装置に本発明を適用しても、勿論構わない。
【００４７】
また、上記実施形態においては、Ｒ、Ｇ、Ｂの表示信号についてはｒｇｂのビデオ信号をそのまま利用する回路であったが、これに限られることはなく、例えば、Ｒ、Ｇ、Ｂの表示信号について、
【数３】
2008197421.tif 000005
を満たすような理想回路を形成しても良い。この場合、例えば（ｒ，ｇ，ｂ）＝（０，１，１）のとき、（Ｒ，Ｇ，Ｂ，Ｃ，Ｍ，Ｙ）＝（０，０，０，１，０，０）となる。すなわち、赤色、緑色、青色、シアン、マゼンタ、イエローの単色をそれぞれ表示させることができる。なお、［数３］を満たす理想回路において、（ｒ，ｇ，ｂ）＝（１，１，１）のとき、ＲＧＢＣＭＹの全色が発色する白色表示をすることができる。すなわち、（Ｒ，Ｇ，Ｂ，Ｃ，Ｍ，Ｙ）＝（１，１，１，１，１，１）となる。
【００４８】
また、上記実施形態においては、上記の数１〜数３に相当する回路を表示領域３内に設けたが、これに限られることはなく、表示領域３の外側（例えば周辺）に設けるようにしても勿論構わない。
【図面の簡単な説明】
【００４９】
【図１】本発明の第１実施形態に係る液晶表示装置の構成を示す模式図。
【図２】本実施形態に係る液晶表示装置の制御系の構成を示す図。
【図３】本実施形態に係る液晶表示装置の画素の構成を示す平面図。
【図４】本発明の第２実施形態に係る液晶表示装置の画素の構成を示す平面図。
【図５】サブ画素に供給される電圧値を示すグラフ（その１）。
【図６】サブ画素に供給される電圧値を示すグラフ（その２）。
【符号の説明】
【００５０】
１…液晶表示装置  ３…表示領域  ４…サブ画素  ５…画素  ６…走査線駆動回路  ７…データ線駆動回路  ８…制御部  １５…画素電極  １６…走査線（接続部）  １７…データ線  ２０、２１、２２、２３…スイッチング素子  Ｐ…制御プログラム
【図１】
2008197421.tif 000006
【図２】
2008197421.tif 000007
【図３】
2008197421.tif 000008
【図４】
2008197421.tif 000009
【図５】
2008197421.tif 000010
【図６】
2008197421.tif 000011